(57)【要約】【課題】簡単な構造で、メンテナンス不要であり、油圧発生装置や通電回路及び電力を不要とするプレス機械用ダイリフタを得ることを目的とする。【解決手段】ボルスター１の溝２内に摺動自在に配設されたダイリフタ本体４と、ダイリフタ本体の上面に所定間隔を置いて設けられた複数のベアリング収納孔５と、各ベアリング収納孔内に配設されたボールベアリング６と、溝内の一端側に設けられ、該ダイリフタ本体の摺動を阻止するストッパ１３と、溝内でストッパとダイリフタ本体の一端部との間に介装され、該ダイリフタ本体をストッパとは反対方向に付勢するコイルスプリング１６と、溝の底面に埋設された固定傾斜板１２と、ダイリフタ本体の下面に埋設され、該固定傾斜板と重なり合って接し該ダイリフタ本体の摺動時に該ダイリフタ本体を上動させる可動傾斜板１０と、ダイリフタ本体を摺動させるダイリフタ駆動装置２０とを備えてなる。【選択図】        図１
2004283877.tif 000002
【特許請求の範囲】
【請求項１】
プレス機械のボルスターの溝内に摺動自在に配設されたダイリフタ本体と、
前記ダイリフタ本体の上面に所定間隔を置いて前記ボルスター表面から突出しないように配設された複数の摩擦低減支持部材と、
前記各溝の底面に埋設された固定傾斜板と、
前記ダイリフタ本体の下面に埋設され、該固定傾斜板と重なり合って接し該ダイリフタ本体の摺動時に該ダイリフタ本体を上動させる可動傾斜板と、
前記ダイリフタ本体を摺動させるダイリフタ駆動装置と、
を備えたことを特徴とするプレス機械用ダイリフタ。
【請求項２】
プレス機械のボルスターの少なくとも２つの溝内にそれぞれ摺動自在に配設されたダイリフタ本体と、
前記ダイリフタ本体の上面に所定間隔を置いて設けられた複数の支持部材収納孔と、
前記各支持部材収納孔内に前記ボルスター表面から突出しないように配設された摩擦低減支持部材と、
前記各溝内の一端側に設けられ、該ダイリフタ本体の摺動を阻止するストッパと、
前記各溝内でストッパとダイリフタ本体の一端部との間に介装され、該ダイリフタ本体をストッパとは反対方向に付勢するコイルスプリングと、
前記各溝の底面に埋設された固定傾斜板と、
前記ダイリフタ本体の下面に埋設され、該固定傾斜板と重なり合って接し該ダイリフタ本体の摺動時に該ダイリフタ本体を上動させる可動傾斜板と、
前記ダイリフタ本体を摺動させるダイリフタ駆動装置と、
を備えたことを特徴とするプレス機械用ダイリフタ。
【請求項３】
前記摩擦低減支持部材はボールベアリングであることを特徴とする請求項１又は２のいずれかに記載のプレス機械用ダイリフタ。
【請求項４】
前記摩擦低減支持部材はローラであることを特徴とする請求項１又は２のいずれかに記載のプレス機械用ダイリフタ。
【請求項５】
前記ダイリフタ駆動装置は、ボルスターの一端側面に固定された基板から突出するように設けた一対の枢支片の上端にＬ字状のダイリフタ押え部材の一端部を支軸で回動自在に取り付け、その一対の枢支片の下端にリンクの一端部を支軸で回動自在に取り付け、ダイリフタ押え部材の屈曲部にくの字状のグリップレバーの先端部を連結軸で回転自在に取り付け、そのグリップレバーの屈曲部にリンクの他端部を支軸で回転自在に取り付けて形成されていることを特徴とする請求項１又は２のいずれかに記載のプレス機械用ダイリフタ。
【請求項６】
前記ダイリフタ押え部材の自由端に螺回自在なダイリフタ押えロッドを設けたことを特徴とする請求項５記載のプレス機械用ダイリフタ。
【請求項７】
前記請求項１〜６のいずれか記載のプレス機械用ダイリフタを備えたことを特徴とするプレス機械。
【発明の詳細な説明】
【０００１】
【発明の属する技術分野】
本発明は例えばプレス機械用ダイリフタ及びプレス機械に関するものである。
【０００２】
【従来の技術】
プレス機械用ダイリフタといわれるものは、通常プレス機械のボルスターに設けられた専用溝に、油圧を駆動源とする別体のダイリフタユニットを使用することが常であった。
このような油圧を駆動源とするダイリフタユニットは、油圧発生装置やシリンダーを用いるため、構造の複雑化や、コスト高を招き、更に油圧発生装置等を含むダイリフタユニットのスペース確保、メンテナンス等に不利が生じ、また環境面において阻害物質を使用するというものであった。
そこで、油圧を駆動源としない従来のプレス機械用ダイリフタが提案された。
かかるプレス機械用ダイリフタは、加熱により整形時の伸張形状に復帰動作する形状記憶合金製コイルバネによる伸縮手段を、ダイリフタ内に収納させ、通電加熱することにより、電気的にダイリフタを作動させるようにしている（例えば、特許文献１参照。）。
【０００３】
【特許文献１】
特開平５−１７７２７１号公報（第  頁、第１図）
【０００４】
【発明が解決しようとする課題】
このような形状記憶合金製コイルバネを使用した従来のプレス機械用ダイリフタでは、形状記憶合金製コイルバネを作動させるための通電回路及び電力が別途必要になるという問題点があった。
【０００５】
本発明は、このような問題点を解決するためになされたものであり、簡単な構造で、メンテナンス不要であり、油圧発生装置や通電回路及び電力を不要とするプレス機械用ダイリフタを得ることを目的とする。
【０００６】
【課題を解決するための手段】
（１）本発明に係るプレス機械用ダイリフタは、プレス機械のボルスターの溝内に摺動自在に配設されたダイリフタ本体と、前記ダイリフタ本体の上面に所定間隔を置いて前記ボルスター表面から突出しないように配設された複数の摩擦低減支持部材と、前記各溝の底面に埋設された固定傾斜板と、前記ダイリフタ本体の下面に埋設され、該固定傾斜板と重なり合って接し該ダイリフタ本体の摺動時に該ダイリフタ本体を上動させる可動傾斜板と、前記ダイリフタ本体を摺動させるダイリフタ駆動装置とを備えてなるものである。
本発明においては、ダイリフタ駆動装置がボルスターの溝内に配設されたダイリフタ本体を摺動させ、溝内に設けられた固定傾斜板に対してダイリフタ本体に設けられた可動傾斜板が乗り上げてダイリフタ本体を上動させ、ダイリフタ本体の表面に設けられた複数の摩擦低減支持部材にボルスター上にある金型が載置されることとなり、複数の摩擦低減支持部材上において金型を容易に移動させることができるため、従来のような油圧発生装置や通電回路及び電力が不要となって環境が改善され、構造がシンプルで小型化が図れ、メンテナンスフリーが実現できる。
【０００７】
（２）本発明に係るプレス機械用ダイリフタは、プレス機械のボルスターの少なくとも２つの溝内にそれぞれ摺動自在に配設されたダイリフタ本体と、前記ダイリフタ本体の上面に所定間隔を置いて設けられた複数の支持部材収納孔と、前記各支持部材収納孔内に前記ボルスター表面から突出しないように配設された摩擦低減支持部材と、前記各溝内の一端側に設けられ、該ダイリフタ本体の摺動を阻止するストッパと、前記各溝内でストッパとダイリフタ本体の一端部との間に介装され、該ダイリフタ本体をストッパとは反対方向に付勢するコイルスプリングと、前記各溝の底面に埋設された固定傾斜板と、前記ダイリフタ本体の下面に埋設され、該固定傾斜板と重なり合って接し該ダイリフタ本体の摺動時に該ダイリフタ本体を上動させる可動傾斜板と、前記ダイリフタ本体を摺動させるダイリフタ駆動装置とを備えてなるものである。
本発明においては、ダイリフタ駆動装置がコイルスプリングの付勢力に抗してボルスターの溝内に配設されたダイリフタ本体を摺動させ、溝内に設けられた固定傾斜板に対してダイリフタ本体に設けられた可動傾斜板が乗り上げてダイリフタ本体を上動させ、ダイリフタ本体の表面に設けられた複数の摩擦低減支持部材にボルスター上にある金型が載置されることとなり、複数の摩擦低減支持部材上において金型を容易に移動させることができ、またダイリフタ駆動装置によるダイリフタ本体の摺動を解除した場合には金型の自重とコイルスプリングの付勢力によりダイリフタ本体は前述とは逆の方向に摺動して元の位置に復帰させることができる。
【０００８】
（３）本発明に係るプレス機械用ダイリフタは、前記摩擦低減支持部材をボールベアリングとするものである。
本発明においては、複数のボールベアリング上において金型を容易に、且つ左右、前後方向に移動させることができる。
【０００９】
（４）本発明に係るプレス機械用ダイリフタは、前記摩擦低減支持部材をローラとするものである。
本発明においては、複数のローラ上において金型を容易に、且つローラの回転方向に移動させることができる。
【００１０】
（５）本発明に係るプレス機械用ダイリフタは、前記ダイリフタ駆動装置が、ボルスターの一端側面に固定された基板から突出するように設けた一対の枢支片の上端にＬ字状のダイリフタ押え部材の一端部を支軸で回動自在に取り付け、その一対の枢支片の下端にリンクの一端部を支軸で回動自在に取り付け、ダイリフタ押え部材の屈曲部にくの字状のグリップレバーの先端部を連結軸で回転自在に取り付け、そのグリップレバーの屈曲部にリンクの他端部を支軸で回転自在に取り付けて形成し、トグル機構を構成したものである。
本発明においては、グリップレバーが垂直となり、グリップ押えロッドの先端がボルスターの一端側面から少し突出したダイリフタ本体の一端部を溝内に入り込むように押し込む状態に至れば、大きな力でグリップレバーを元に戻すよう操作しないと元に戻らない機能を有するため、かかる状態では操作者がグリップレバーから手を離しても大丈夫である。
【００１１】
（６）本発明に係るプレス機械用ダイリフタは、前記ダイリフタ駆動装置のダイリフタ押え部材の自由端に螺回自在なダイリフタ押えロッドを設けたものである。
本発明においては、ダイリフタ押えロッドを螺回操作してダイリフタ押えロッドの突出量を調整することができる。
【００１２】
（７）本発明に係るプレス機械は、前記（１）〜（６）のプレス機械用ダイリフタを備えてなるものである
本発明においては、前記（１）〜（６）のプレス機械用ダイリフタを備えたプレス機械を実現することができる。
【００１３】
【発明の実施の形態】
図１は本発明の実施の形態に係るプレス機械用ダイリフタを示す断面図、図２は図１のＡ−Ａ線断面図、図３は同プレス機械用ダイリフタで金型を持ち上げた状態を示す断面図、図４は図３のＢ−Ｂ線断面図である。
図１において、１はプレス機械のボルスター、２はボルスター１の表面に所定間隔を置いて設けられた横方向に延びる２つの溝である。３はボルスター１の表面に載置された金型である。
４はボルスター１の各溝２内に摺動自在に配設された細長い直方体状のダイリフタ本体、５はダイリフタ本体４の上面に所定間隔を置いて形成された複数の支持部材収納孔であるベアリング収納孔、６は各ベアリング収納孔５内に収納された摩擦低減支持部材であるボールベアリングである。このボールベアリング６は一部がダイリフタ本体４の上面から突出しているが、ボルスター１の表面からは突出しないように設定されている。
【００１４】
１０はダイリフタ本体４の下面に適宜間隔を置いてネジ１１で取り付け固定されたテーパ面１０ａを有する２個の可動傾斜板、１２はボルスター１の溝２の底面に適宜間隔を置いてネジ１１で取り付け固定されたテーパ面１２ａを有する２個の固定傾斜板である。
１３はボルスター１の溝２内で図１に示す右端側にネジ１１で取り付け固定されたストッパ、１４はストッパ１３に設けられたバネ押え片、１５はダイリフタ本体４の図１に示す右端側の下部を切り欠いて形成されたバネ受け部である。１６はダイリフタ本体４のバネ受け部１５とストッパ１３との間に介装されたコイルスプリングである。
【００１５】
このコイルスプリング１６の伸張時にはボルスター１の溝２内に配設されたダイリフタ本体４の左端部がボルスター１の左端側面から少し突出するように設定されている。
さらに、コイルスプリング１６の伸張時には、ボルスター１の溝２の底面に固定された固定傾斜板１２のテーパー面１２ａとダイリフタ本体４の下面に固定された可動傾斜板１０のテーパ面１０ａとが重なり合った状態となっており、この状態ではダイリフタ本体４の各ボールベアリング収納孔５内に収納されたボールベアリング６の一部がボルスター１の表面からは突出しないように設定されている。
【００１６】
２０はプレス機械のボルスター１の左端側面で各溝２の対応位置にそれぞれ取り付けられ、ダイリフタ本体４を可動させるためのダイリフタ駆動装置である。
このダイリフタ駆動装置２０は、ボルスター１の左端側面にボルト２１で固定された基板２２から突出するように設けた一対の枢支片２３の上端にＬ字状のダイリフタ押え部材２４の一端部を支軸２５で回動自在に取り付け、その一対の枢支片２３の下端にリンク２６の一端部を支軸２７で回動自在に取り付け、ダイリフタ押え部材２４の屈曲部にくの字状のグリップレバー２８の先端部を連結軸２９で回転自在に取り付け、そのグリップレバー２８の屈曲部にリンク２６の他端部を支軸３０で回転自在に取り付けて形成され、トグル機構を構成している。
【００１７】
３１はグリップレバー２８の基端部に設けられたグリップ、３２はＬ字状のダイリフタ押え部材２４の自由端である他端部を貫通して螺回自在に設けられたダイリフタ押えロッドである。このダイリフタ押えロッド３２を螺回することにより、ダイリフタ押え部材２４の他端部からの突出量を調整することができる。３３はダイリフタ押えロッド３２に螺合されたダブルナットで、ダイリフタ押えロッド３２の螺回を阻止するためのものである。
【００１８】
次に、本発明の実施の形態のプレス機械用ダイリフタの動作を説明する。
図１に示すように、ダイリフタ駆動装置２０のグリップレバー２８のグリップ３１が斜めの状態にある場合には、ダイリフタ押え部材２４の自由端側はグリップ３１の近くに位置しており、ダイリフタ押え部材２４の自由端側に設けられたダイリフタ押さえロッド３１はボルスター１の溝２内に配設されているダイリフタ本体４の左端部から離れた位置にある。
従って、ボルスター１の溝２内に配設されているダイリフタ本体４はそのバネ受け部１５とストッパ１３との間に介装されたコイルスプリング１６の伸張力により、ダイリフタ本体４の左端部がボルスター１の左端側面から少し突出した状態にある。
【００１９】
そして、このようなコイルスプリング１６の伸張時には、ボルスター１の溝２の底面に固定された固定傾斜板１２のテーパー面１２ａとダイリフタ本体４の下面に固定された可動傾斜板１０のテーパ面１０ａとが重なり合った状態となっており、ダイリフタ本体４の各ボールベアリング収納孔５内に収納されたボールベアリング６の一部がボルスター１の表面からは突出していない。
このため、金型２はボルスター１の表面上に載置された状態にあって金型２とボルスター１の表面とに摩擦が生じ金型２の移動は困難である。
【００２０】
そこで、グリップレバー２８のグリップ３１を操作者が握ってグリップレバー２８を図１の矢印の方向に回動させ、図３に示すようにグリップ３１が垂直状態になるまで押し下げる。
そうすると、支軸３０を中心とするグリップレバー２８の回動押し下げにより、グリップレバー２８の先端とダイリフタ押え部材２４の屈曲部とを連結している連結軸２９が上方に回動するに伴い、一対の枢支片２３に支軸２７で回動自在に取り付けられているリンク２６も時計方向に回動し、一対の枢支片２３に支軸２５で回動自在に取り付けられているダイリフタ押え部材２４がその支軸２５を中心として時計方向に回動し、ダイリフタ押え部材２４の自由端に設けられているグリップ押えロッド３１の先端がボルスター１の左端側面から少し突出したダイリフタ本体４の左端部を右方向、即ち左端部を溝２内に入り込むように押し込む。
【００２１】
このグリップ押えロッド３１がダイリフタ本体４の左端部が溝２内に入り込むように押し込むことにより、溝２内のダイリフタ本体４はコイルスプリング１６の伸張力に抗して右方向に摺動する。
そうすると、ダイリフタ本体４の下面に設けられた可動傾斜板１０のテーパ面１０ａも移動し、そのテーパ面１０ａが溝２の底面に設けられた固定傾斜板１２のテーパ面１２ａ上を滑るように移動してテーパ面１２ａに対して次第にせり上がっていき、それに伴い可動傾斜板１０を有するダイリフタ本体１０が上動し、ついにはダイリフタ本体４の複数のベアリング収納孔５にそれぞれ回転自在に収納されている複数のボールベアリング６の一部がボルスター１の表面から突出する。このとき、複数のボールベアリング６に金型２の自重が加わるために、その自重に抗するだけの力がいるが、ついには金型２がボルスター１の表面ではなく、複数のボールベアリング６に載置される状態になる。
このような複数のボールベアリング６に金型２が載置された状態では、複数のボールベアリング１６と金型２との摩擦が少ないために、複数のボールベアリング１６上において金型２を容易に左右、前後方向に移動させることができる。
【００２２】
本発明の実施の形態のプレス機械用ダイリフタは、ダイリフタ駆動装置２０のグリップレバー２８を押し下げるだけで、グリップ押えロッド３１の先端がプレス機械のボルスター１の溝２内に摺動自在に配設されているダイリフタ本体４を可動させ、溝２内に設けられた固定傾斜板１２に対してダイリフタ本体４に設けられた可動傾斜板１０が乗り上げてダイリフタ本体４を上動させ、ダイリフタ本体４の表面に設けられた複数のボールベアリングにボルスター１上にある金型２が載置されるようにしたから、複数のボールベアリング１６上において金型２を容易に左右、前後方向に移動させることが可能となり、従来のような油圧発生装置や通電回路及び電力が不要となって環境が改善され、構造がシンプルで小型化が図れ、メンテナンスフリーが可能となった。
【００２３】
また、複数のボールベアリング６に金型２が載置された状態となった場合に、ダイリフタ駆動装置２０はトグル機構で構成されており、グリップレバー２８のグリップ３１が垂直となり、グリップ押えロッド３１の先端がボルスター１の左端側面から少し突出したダイリフタ本体４の左端部を溝２内に入り込むように押し込む状態に至れば、大きな力でグリップレバー２８を元に戻すよう操作しないと元に戻らない機能を有するため、かかる状態では操作者がグリップレバー２８のグリップ３１から手を離しても大丈夫である。
【００２４】
上記説明は１つのダイリフタ駆動装置２０のグリップレバー２８を操作するものであるが、この実施の形態ではボルスター１に２条の溝２が形成され、各溝２にダイリフタ本体４が設けられ、各ダイリフタ本体４を駆動させるダイリフタ駆動装置２０が２つ設けられているため、２つのダイリフタ駆動装置２０のグリップレバー２８を同時に操作する必要があることはいうまでもない。
また、ボルスター１に複数の溝２が形成されれば、複数のダイリフタ本体４及びダイリフタ駆動装置２０を必要とする。
なお、複数の複数の溝２が形成され、複数のダイリフタ本体４が有る場合に、複数のダイリフタ本体４の端部を連結部材で連結し、その連結部材を１つのダイリフタ駆動装置２０で押すようにしてもよい。
さらに、ダイリフタ本体４のベアリング収納溝５にボールベアリング６を回転自在に収納させているが、ボールベアリング６の代わりに摩擦低減部材であるローラであってもよい。
【図面の簡単な説明】
【図１】本発明の実施の形態に係るプレス機械用ダイリフタを示す断面図。
【図２】図１のＡ−Ａ線断面図。
【図３】同プレス機械用ダイリフタで金型を持ち上げた状態を示す断面図。
【図４】図３のＢ−Ｂ線断面図。
【符号の説明】
１  ボルスター、２  溝、３  金型、４  ダイリフタ本体、５  ベアリング収納孔、６  ボールベアリング、１０  可動傾斜板、１２  固定傾斜板、１３  ストッパ、１５  バネ受け部、１６  コイルスプリング、２０  ダイリフタ駆動装置
【図１】
2004283877.tif 000003
【図２】
2004283877.tif 000004
【図３】
2004283877.tif 000005
【図４】
2004283877.tif 000006